(57)【要約】【課題】  全体における均一な照射性能及び所定の明るさ性能を確保できるＬＥＤを用いた照明用品、特に、一般的な蛍光管に似せた好適な照明用品の容易な実用化を図る。【解決手段】  蛍光管を装着するソケットに対して着脱する口金部２ａ，２ｂを有する照明用品１を構成するに際して、透明又は半透明のエンベロープ部３と、このエンベロープ部３に付設した口金部２ａ，２ｂと、エンベロープ部３の内部に収容する軸方向に沿った支持軸部４と、リング形基板５…の周方向に沿って複数のＬＥＤ６…を実装し、中心に設けた被支持孔部５ｐｏ…を利用して支持軸部４の軸方向に所定間隔Ｌｐ…おきに装着する複数の発光基板部Ｃ…と、口金部２ａに入力する一次電源Ｐｆを直接又は二次電源Ｐｒに変換してＬＥＤ６…に付与する電源回路部７とを備える。【選択図】  図１
2011054421.tif 000002
【特許請求の範囲】
【請求項１】
蛍光管を装着するソケットに対して着脱する口金部を有する照明用品であって、透明又は半透明のエンベロープ部と、このエンベロープ部に付設した口金部と、前記エンベロープ部の内部に収容する軸方向に沿った支持軸部と、リング形基板の周方向に沿って複数のＬＥＤを実装し、中心に設けた被支持孔部を利用して前記支持軸部の軸方向に所定間隔おきに装着する複数の発光基板部と、前記口金部に入力する一次電源を直接又は二次電源に変換して前記ＬＥＤに付与する電源回路部とを備えてなることを特徴とする照明用品。
【請求項２】
前記エンベロープ部の内周面には、蛍光塗料を塗布することを特徴とする請求項１記載の照明用品。
【請求項３】
前記リング形基板は、前記エンベロープ部の内径よりも小さい基板本体部、及びこの基板本体部の周方向に沿って所定間隔おきに配し、かつ外周縁から放射方向に突出して前記エンベロープ部の内面に係合可能な複数の規制片部により形成することを特徴とする請求項１又は２記載の照明用品。
【請求項４】
前記発光基板部は、発光指向角度の広い前記ＬＥＤを前記リング形基板の中心側に配し、発光指向角度の狭い前記ＬＥＤを前記リング形基板の外周側に配することを特徴とする請求項１，２又は３記載の照明用品。
【請求項５】
前記電源回路部には、外部からの操作により少なくとも前記ＬＥＤの発光照度の大きさを変更可能な調光部を備えることを特徴とする請求項１記載の照明用品。
【発明の詳細な説明】
【技術分野】
【０００１】
本発明は、一般的な蛍光管を装着するソケットに対して着脱する口金部を有する照明用品に関する。
【背景技術】
【０００２】
近時、照明装置に用いる照明用品は、旧来より広く用いられている電球や蛍光管から、消費電力が少なく、寿命の長いＬＥＤ（発光ダイオード）を用いた照明用品に置き換わりつつある。ＬＥＤは、点光源であり、一個当たりの明るさも限られるとともに、電球や蛍光管に比べて発光原理が全く異なるため、ＬＥＤを含む専用の照明装置を構成する必要がある。
【０００３】
一方、ＬＥＤを用いた照明用品の全体形態を電球や蛍光管に似せて構成すれば、電球や蛍光管が着脱するソケットをそのまま利用できる利点があり、このような照明用品としては、特許文献１で開示される照明装置が知られている。同文献１に開示される照明装置は、エンベロープ，口金，固体光源及び光学手段を有しており、光学手段は、光アウトカップリング表面を備え、固体光源は、光学手段に対して光結合する。光学手段は、螺旋状に巻かれた光ファイバを備え、従来の電球と同様に形成される透明なエンベロープの使用により、炭素電球等の従来の白熱電球に類似する照明装置（照明用品）となる。
【先行技術文献】
【特許文献】
【０００４】
【特許文献１】特表２００８−５１５１５８号公報
【発明の概要】
【発明が解決しようとする課題】
【０００５】
しかし、上述した従来の照明装置（照明用品）は、次のような問題点があった。
【０００６】
即ち、上述した照明装置は、電球の形態を真似た照明装置として構成するため、他の照明用品である蛍光管にはそのまま適用できない。特に、一般的な直管形の蛍光管は、細長く、しかも、発光原理が電球とは異なるため、そのまま適用することが困難となる。また、蛍光管は、細長いエンベロープ部の周面に均一な発光が可能になるなどの相応の優位性を有しているため、ＬＥＤを用いた照明用品の優位性を確保するには、均一な照射性能を実現するとともに、一定の消費電力当たりの明るさ性能を高める必要がある。しかし、ＬＥＤは点光源となることから、均一な照射性能を確保し、かつ全体の明るさ性能を高めるのは容易でなく、従来より、このような課題を有効に解決するＬＥＤを用いた照明用品、特に、蛍光管を装着するソケットに対して着脱する口金部を有する照明用品の実用化が要請されていた。
【０００７】
本発明は、このような背景技術に存在する課題を解決した照明用品の提供を目的とするものである。
【課題を解決するための手段】
【０００８】
本発明は、上述した課題を解決するため、蛍光管を装着するソケットに対して着脱する口金部２ａ，２ｂを有する照明用品１を構成するに際して、透明又は半透明のエンベロープ部３と、このエンベロープ部３に付設した口金部２ａ，２ｂと、エンベロープ部３の内部に収容する軸方向に沿った支持軸部４と、リング形基板５…の周方向に沿って複数のＬＥＤ６…を実装し、中心に設けた被支持孔部５ｐｏ…を利用して支持軸部４の軸方向に所定間隔Ｌｐ…おきに装着する複数の発光基板部Ｃ…と、口金部２ａに入力する一次電源Ｐｆを直接又は二次電源Ｐｒに変換してＬＥＤ６…に付与する電源回路部７とを備えてなることを特徴とする。
【０００９】
この場合、発明の好適な態様により、エンベロープ部３の内周面には、蛍光塗料１１を塗布することができる。一方、リング形基板５は、エンベロープ部３の内径よりも小さい基板本体部５ｐ、及びこの基板本体部５ｐの周方向に沿って所定間隔おきに配し、かつ外周縁から放射方向に突出してエンベロープ部３の内面に係合可能な複数の規制片部５ｐｅ…により形成することができる。なお、発光基板部Ｃは、発光指向角度の広いＬＥＤ６…をリング形基板５の中心側に配し、かつ発光指向角度の狭いＬＥＤ６…をリング形基板５の外周側に配することが望ましい。また、電源回路部７には、外部からの操作により少なくともＬＥＤ６…の発光照度の大きさを変更可能な調光部１２を設けることができる。
【発明の効果】
【００１０】
このような構成を有する本発明に係る照明用品１によれば、次のような顕著な効果を奏する。
【００１１】
（１）  透明又は半透明のエンベロープ部３に付設した口金部２ａ，２ｂと、エンベロープ部３の内部に収容する軸方向に沿った支持軸部４と、リング形基板５…の周方向に沿って複数のＬＥＤ６…を実装し、中心に設けた被支持孔部５ｐｏ…を利用して支持軸部４の軸方向に所定間隔Ｌｐ…おきに装着する複数の発光基板部Ｃ…を備えるため、全体における均一な照射性能及び所定の明るさ性能を確保できるＬＥＤ６…を用いた照明用品１、特に、３６０゜にわたって発光可能な一般的な蛍光管に似せた好適な照明用品１を容易に実用化することができる。
【００１２】
（２）  リング形基板５…の周方向に沿って複数のＬＥＤ６…を実装し、中心に設けた被支持孔部５ｐｏ…を利用して支持軸部４の軸方向に所定間隔Ｌｐ…おきに装着する複数の発光基板部Ｃ…を用いたため、エンベロープ部３及び支持軸部４の長さを固定とした場合であっても、発光基板部Ｃ…の使用数量の変更により最大照度（定格）を容易に変更できるとともに、他方、発光基板部Ｃ…同士の間隔Ｌｐ…を固定とした場合であっても、エンベロープ部３及び支持軸部４の長さ変更のみで最大照度（定格）を容易に変更することができる。
【００１３】
（３）  好適な態様により、エンベロープ部３の内周面に蛍光塗料１１を塗布すれば、エンベロープ部３内の光をエンベロープ部３の外部に放出する機能及びエンベロープ部３内で光を反射させる機能の双方をより高機能化できるため、明るさ及び照射性に関してより一般的な蛍光管に似せることができる。
【００１４】
（４）  好適な態様により、リング形基板５を、エンベロープ部３の内径よりも小さい基板本体部５ｐ、及びこの基板本体部５ｐの周方向に沿って所定間隔おきに配し、かつ外周縁から放射方向に突出してエンベロープ部３の内面に係合可能な複数の規制片部５ｐｅ…により形成すれば、リング形基板５…（発光基板部Ｃ…）の影がエンベロープ部３に映りにくくなり、エンベロープ部３における全体の明るさを均一化することができる。
【００１５】
（５）  好適な態様により、発光基板部Ｃにおいて、発光指向角度の広いＬＥＤ６…をリング形基板５の中心側に配し、発光指向角度の狭いＬＥＤ６…をリング形基板５の外周側に配すれば、発光指向角度が異なるＬＥＤ６…であっても明るさを均一化する観点からより最適化を図ることができる。
【００１６】
（６）  好適な態様により、電源回路部７に、外部からの操作により少なくともＬＥＤ６…の発光照度の大きさを変更可能な調光部１２を設ければ、蛍光灯タイプとなる照明用品１であっても容易に発光照度の大きさを変更することができるため、使い勝手及び利便性を高めることができる。また、用途毎に必要な発光照度を設定できるため、省エネルギ性を高めることができる。
【図面の簡単な説明】
【００１７】
【図１】本発明の好適実施形態に係る照明用品の軸直角面の断面図、
【図２】同照明用品の一部を示す図１中Ａ−Ａ線断面図、
【図３】同照明用品の一部断面底面図、
【図４】同照明用品の一部を示す一部断面斜視図、
【図５】同照明用品の分解部品図、
【図６】同照明用品の外観正面図、
【図７】同照明用品の電気系回路図、
【図８】同照明用品のレイアウトを示す模式図、
【図９】本発明の変更実施形態に係る照明用品のレイアウトを示す模式図、
【図１０】本発明の他の変更実施形態に係る照明用品の軸直角面の断面図、
【発明を実施するための形態】
【００１８】
次に、本発明に係る好適実施形態を挙げ、図面に基づき詳細に説明する。
【００１９】
まず、本実施形態に係る照明用品１の構成について、図１〜図６を参照して具体的に説明する。
【００２０】
照明用品１は、大別して、エンベロープ部３、このエンベロープ部３の一端に取付ける電源回路部７を内蔵する一方の口金部２ａ、エンベロープ部３の他端に取付ける他方の口金部２ｂ、エンベロープ部３の内部に収容する支持軸部４、この支持軸部４により支持され、この支持軸部４と一緒にエンベロープ部３の内部に収容する複数の発光基板部Ｃ…により構成するとともに、全体の外観は一般的な直管タイプの蛍光管（放電管）に似せて構成する。
【００２１】
最初に、各構成部品について説明する。エンベロープ部２は、一般的な蛍光管の形態と同様に、乳白色（半透明）のガラス素材又はプラスチック素材等により円筒形に形成する。エンベロープ部３の内周面には、蛍光塗料１１を塗布する。蛍光塗料１１の塗布に際しては、一般的な蛍光塗料を希釈液により１〜２０％に薄めて使用することが望ましい。これにより、エンベロープ部３内の光をエンベロープ部３の外部に放出する機能及びエンベロープ部３内で光を反射させる機能の双方をより高機能化できるため、明るさ及び照射性に関してより一般的な蛍光管に似せることができる。なお、エンベロープ部３は、放電管を構成するものではないため、必ずしも内面に蛍光物質を塗布することを要しない。
【００２２】
一方、口金部２ａは、エンベロープ部３に対して反対側に位置する端面に、この端面から突出する一対の電極ピン２ａｍ，２ａｎを有するとともに、エンベロープ部３側に位置する端面に、エンベロープ部３の一端開口に嵌合する嵌合凸部２ａｉを有する。この場合、電極ピン２ａｍ，２ａｎは、一般的な蛍光管を装着するソケットに対して着脱できるように、その形状及び位置等を選定する。
【００２３】
この口金部２ａには電源回路部７を内蔵する。したがって、口金部２ａは電源回路部７を内部に収容可能な円筒形の電源ケース７ｃを兼用する。電源回路部７は一次側の入力電圧（一次電源Ｐｆ）が交流１００〜２４０Ｖ（±１０％）となるため、入力部（一次側）を電極ピン２ａｍ，２ａｎに接続する。電源回路部７は、図７に示すように、スイッチングレギュータ７ｓを使用し、二次側の出力電圧（二次電源Ｐｒ）は、ＬＥＤ６…に付与する直流電圧（例示は１２Ｖ）となる。このような電源回路部７を内蔵することにより、突入電圧（突入電流），逆電圧（逆電流），過電圧（過電流），ノイズ等のＬＥＤ照明における弱点を克服できるとともに、これらに伴う故障の発生を回避することができる。
【００２４】
また、電源回路部７には、外部からの操作により少なくともＬＥＤ６…の発光照度の大きさを変更可能な調光部１２を設ける。具体的には、図３に示すように、電源ケース７ｃの下面部に、コイン等により回し操作可能な調整つまみ１２ｓを配設することができ、この調整つまみ１２ｓの回し操作により、ＬＥＤ６…に対する供給電力を変更してＬＥＤ６…の発光照度の大きさを変更することができる。このような調光部１２を設ければ、蛍光灯タイプとなる照明用品１であっても発光照度の大きさを容易に変更できるため、使い勝手及び利便性を高めることができるとともに、用途毎に必要な発光照度を設定できるため、省エネルギ性を高めることができる利点がある。
【００２５】
なお、例示の電源回路部７は、既に設置されている蛍光灯（照明装置）に装着されている蛍光管に対して、照明用品１をそのまま交換して使用する場合を想定しているが、例えば、商用交流電源に直接接続して使用する専用の照明装置に照明用品１を装着する場合には、電源回路部７を照明装置の本体側に設けることができる。したがって、この場合には、一次電源Ｐｆとして、直流電圧１２Ｖを口金部２ａに供給できるため、電源回路部７には、口金部２ａに入力する一次電源Ｐｆを直接ＬＥＤ６…に付与する構成も採用可能であり、電源回路部７には、一次電源Ｐｆを直接又は二次電源Ｐｒに変換してＬＥＤ６…に付与する機能を有する。
【００２６】
他方、口金部２ｂは、エンベロープ部３に対して反対側に位置する端面に、この端面から突出する一対の電極ピン２ｂｍ，２ｂｎを有するとともに、エンベロープ部３側に位置する端面に、エンベロープ部３の他端開口に嵌合する嵌合凸部２ｂｉを有する。口金部２ｂの電極ピン２ｂｍ，２ｂｎは、一般的な蛍光管を装着するソケットに対して着脱できるように、その形状及び位置等を選定するが、本実施形態では、ソケットへの装着用にのみ使用するダミーとして構成する。したがって、電極としての機能は有しておらず、口金部２ｂは、図５に示すように、円盤状のキャップ部材として構成する。なお、既設の蛍光灯に用いたソケットを使用する場合には、一方の口金部２ａの電極ピン２ｂｍ，２ｂｎにのみ一次側の入力電圧が付与されるようにソケット側の配線接続を変更する。この場合であっても配線接続の変更は容易である。
【００２７】
支持軸部４は、直径がエンベロープ部３に対して１／３程度となり、長さがエンベロープ部３の長さとほぼ同じになる断面円形のアルミニウム管により形成する。このようなアルミニウム管を用いることにより、軽量化を図れるとともに、放熱性を高めることができる利点がある。
【００２８】
発光基板部Ｃは、リング形基板５及びこのリング形基板５…に実装した複数のＬＥＤ（発光ダイオード）６…により構成する。リング形基板５は、エンベロープ部３の内径よりも小さい円形の基板本体部５ｐ、及びこの基板本体部５ｐの周方向に沿って所定間隔おきに配し、かつ外周縁から放射方向に突出してエンベロープ部３の内面に係合可能な複数の規制片部５ｐｅ…により形成する。リング形基板５をこのように形成すれば、リング形基板５をエンベロープ部３の内部に収容した際に、複数の規制片部５ｐｅ…のみがエンベロープ部３の内面に係合し、基板本体部５ｐの外周縁とエンベロープ部３の内面間に空間が生じる。したがって、リング形基板５…（発光基板部Ｃ…）の影がエンベロープ部３に映りにくくなり、エンベロープ部３における全体の明るさを均一化できる利点がある。また、基板本体部５ｐの中心には支持軸部４が挿通する被支持孔部５ｐｏを形成する。
【００２９】
リング形基板５はプリント配線基板であり、プリント配線上に各ＬＥＤ６…をハンダ付等により実装する。例示のＬＥＤ６はチップタイプの白色パワーＬＥＤであり、発光指向角度は６０゜である。発光指向角度が６０゜以上となるＬＥＤ６は発光指向角度が広いタイプに属するため、各ＬＥＤ６…は、図１に示すように、リング形基板５の中心側（中心寄り）に配し、かつ周方向に沿って一定間隔おきに実装する。このように、発光基板部Ｃにおいて、発光指向角度の広いＬＥＤ６…をリング形基板５の中心側に配すれば、明るさを均一化する観点からより最適化を図ることができる。
【００３０】
本実施形態として例示する照明用品１のディメンションを以下に示す。このようなディメンションを選択することにより、一般的な４０〔Ｗ〕相当の蛍光管に代用できる照明用品１を得ることができる。
（ａ）  エンベロープ部３の外径：３０ｍｍ
（ｂ）  エンベロープ部３の内径：２７．４ｍｍ
（ｃ）  支持軸部４の外径      ：９ｍｍ
（ｄ）  基板本体部５ｐの外径  ：２６．８ｍｍ
（ｅ）  規制片部５ｐｅの数    ：４つ（発光基板部Ｃの一枚当たり）
（ｆ）  規制片部５ｐｅの幅    ：２ｍｍ
（ｇ）  規制片部５ｐｅの突出長：２ｍｍ
（ｈ）  ＬＥＤ６…の数        ：８個（発光基板部Ｃの一枚当たり）
（ｉ）  発光基板部Ｃ…の枚数  ：９枚
【００３１】
次に、本実施形態に係る照明用品１の組立方法について、図１〜図８を参照して説明する。
【００３２】
まず、必要な構成部品として、予め製作した口金部２ａ，２ｂ、エンベロープ部３、支持軸部４、必要枚数の発光基板部Ｃ…を用意する。
【００３３】
そして、支持軸部４に、複数のＬＥＤ６…を有する発光基板部Ｃ…を順次装着する。この場合、各発光基板部Ｃ…における被支持孔部５ｐｏ…に支持軸部４を挿通させるとともに、支持軸部４の軸方向に、各発光基板部Ｃ…を所定間隔Ｌｐ…おき（図８）に配し、各発光基板部Ｃ…と支持軸部４は、接着剤或いは固定金具（固定部材）等を利用して固定する。この場合、図８に示すように、各発光基板部Ｃ…の向きを同一方向（Ｆｐ方向）に一致させる。即ち、各発光基板部Ｃ…におけるＬＥＤ６…が軸方向の一方側に位置するように揃える。また、各発光基板部Ｃ…には、配線Ｌｐ，Ｌｎ（図７）を接続し、この配線Ｌｐ，Ｌｎは支持軸部４の周面に形成した貫通孔から当該支持軸部４の内部に導入するとともに、支持軸部４の内部を通して当該支持軸部４の端部開口に至らせる。
【００３４】
次いで、発光基板部Ｃ…を装着した支持軸部４を、エンベロープ部３の内部に挿入し、エンベロープ部３の一端に口金部２ａを装着してエンベロープ部３の一端開口を閉塞するとともに、エンベロープ部３の他端に口金部２ｂを装着してエンベロープ部３の他端開口を閉塞する。この場合、図３に示すように、口金部２ａの嵌合凸部２ａｉをエンベロープ部３の一端開口に嵌合させて固定し、かつ嵌合凸部２ａｉの中心に設けた凹部により支持軸部４の一端部を保持するとともに、口金部２ｂの嵌合凸部２ｂｉをエンベロープ部３の他端開口に嵌合させて固定し、かつ嵌合凸部２ｂｉの中心に設けた凹部により支持軸部４の他端部を保持する。また、エンベロープ部３の一端に口金部２ａを装着する際には、支持軸部４の一端開口から導出される配線Ｌｐ，Ｌｎを、口金部２ａの接続端子２ｐ，２ｎ（図５，図７）にそれぞれ接続する。図７には、以上の組立により接続される電気系の回路図を示す。
【００３５】
このように、本実施形態に係る照明用品１によれば、半透明のエンベロープ部３に付設した口金部２ａ，２ｂと、エンベロープ部３の内部に収容する軸方向に沿った支持軸部４と、リング形基板５…の周方向に沿って複数のＬＥＤ６…を実装し、中心に設けた被支持孔部５ｐｏ…を利用して支持軸部４の軸方向に所定間隔Ｌｐ…おきに装着する複数の発光基板部Ｃ…を備えるため、全体における均一な照射性能及び所定の明るさ性能を確保できるＬＥＤ６…を用いた照明用品１、特に、３６０゜にわたって発光可能な一般的な蛍光管に似せた好適な照明用品１を容易に実用化することができる。また、リング形基板５…の周方向に沿って複数のＬＥＤ６…を実装し、中心に設けた被支持孔部５ｐｏ…を利用して支持軸部４の軸方向に所定間隔Ｌｐ…おきに装着する複数の発光基板部Ｃ…を用いたため、エンベロープ部３及び支持軸部４の長さを固定とした場合であっても、発光基板部Ｃ…の使用数量の変更により最大照度（定格）を容易に変更できるとともに、他方、発光基板部Ｃ…同士の間隔Ｌｐ…を固定とした場合であっても、エンベロープ部３及び支持軸部４の長さ変更のみで最大照度（定格）を容易に変更することができる。
【００３６】
次に、本発明の変更実施形態に係る照明用品１について、図９及び図１０を参照して説明する。
【００３７】
図９（ａ），（ｂ）は、発光基板部Ｃ…の装着形態（レイアウト）の変更例を示す。前述した図８の場合は、各発光基板部Ｃ…の向きを同一方向（Ｆｐ方向）に一致させているが、図９（ａ）の場合は、偶数枚数（例示は１０枚）の発光基板部Ｃ…を使用することにより、半分（５枚）を支持軸部４の一方側に配し、かつ当該発光基板部Ｃ…のＬＥＤ６…を軸方向の一方側（Ｆｐ方向）に配するとともに、残りの半分（５枚）を支持軸部４の他方側に配し、かつ当該発光基板部Ｃ…のＬＥＤ６…を軸方向の他方側（Ｆｑ方向）に配した。この際、中央に位置する二つの発光基板部Ｃ…は、互いに向き合うため、両者の間隔Ｌｐｃは、他の発光基板部Ｃ…同士の間隔Ｌｐ…に対して概ね１．５〜２．０倍程度広げる。他方、図９（ｂ）の場合は、一対の発光基板部Ｃ…が互いに反対方向（Ｆｐ方向とＦｑ方向）を向くように、両者の背面（裏面）同士を近接させて配した。このように、本発明に係る照明用品１は、支持軸部４の軸方向に所定間隔Ｌｐ…おきに複数の発光基板部Ｃ…を装着する構成を備えるため、各発光基板部Ｃ…を支持軸部４に装着するに際しては、様々な装着形態により実施することができる。
【００３８】
図１０は、発光基板部Ｃにおいて、発光指向角度の狭いＬＥＤ６…をリング形基板５の外周側に配したものである。図１０において使用するＬＥＤ６は、発光指向角度が４５゜であり、発光指向角度が６０゜未満となるＬＥＤ６は、発光指向角度が狭いタイプに属するため、各ＬＥＤ６…は、図１０に示すように、リング形基板５の外周側（外周寄り）に配し、かつ周方向に沿って一定間隔おきに実装する。このように、発光基板部Ｃにおいて、発光指向角度の狭いＬＥＤ６…の場合は、リング形基板５の外周側に配すれば良く、発光指向角度が異なるＬＥＤ６…であっても、配する位置を選択、即ち、リング形基板５の外周側に配するか又は中心側に配するかの選択を行えば、明るさを均一化する観点からより最適化を図ることができる。
【００３９】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００４０】
例えば、エンベロープ部３は半透明により形成した場合を示したが、透明であってもよい。また、リング形基板５における規制片部５ｐｅ…は例示のように一体形成してもよいし、異なる素材により形成した別部材を付加した構成であってもよい。さらに、ＬＥＤ６…はリング形基板５の外周側又は中心側に配した場合を示したが、外周側と中心側の双方に配して２列としてもよいし、或いは３例以上としてもよい。一方、ＬＥＤ６…には、白色のみならず色やタイプの異なる様々なＬＥＤを適用することができる。なお、照明用品１は、直管形の蛍光管に似せて構成した場合を示したが、丸形の蛍光管であってもよいし、既存の蛍光管に似ていない形態であってもよい。
【産業上の利用可能性】
【００４１】
本発明に係る照明用品１の用途は、照明用途をはじめ、表示用途や信号用途等の各種用途に利用することができる。
【符号の説明】
【００４２】
１：照明用品，２ａ：口金部，２ｂ：口金部，３：エンベロープ部，４：支持軸部，５…：リング形基板，５ｐ：基板本体部，５ｐｅ…：規制片部，５ｐｏ…：被支持孔部，６…：ＬＥＤ，７：電源回路部，１１：蛍光塗料，１２：調光部，Ｌｐ…：所定間隔，Ｃ…：発光基板部，Ｐｆ：一次電源，Ｐｒ：二次電源
【図１】
2011054421.tif 000003
【図２】
2011054421.tif 000004
【図３】
2011054421.tif 000005
【図４】
2011054421.tif 000006
【図５】
2011054421.tif 000007
【図６】
2011054421.tif 000008
【図７】
2011054421.tif 000009
【図８】
2011054421.tif 000010
【図９】
2011054421.tif 000011
【図１０】
2011054421.tif 000012